(57)【要約】【課題】  地震によって目地部が大幅に広くなった場合であっても、ラックとピニオン（歯車）の噛合状態が解除されることなく、かつ、目地プレート等を常に目地部の中央に位置させることができる目地装置用中央維持部材を提供すること。【解決手段】  左右の躯体の目地部を塞ぐ目地装置に用いられる目地装置用中央維持部材において、該目地装置用中央維持部材は、前記躯体にそれぞれ取り付けられる一対のラックと、該一対のラックとそれぞれ噛合するように前記左右の躯体方向に、所定間隔を有して設けられた複数個の大歯車と、これらの大歯車の間にそれぞれ噛合するように設けられた複数個の小歯車と、前記一対のラックと前記大歯車とが常に噛合状態となるように支持するとともに、その中央部が常時目地部の中間に位置する支持部材と、該支持部材の中央部に設けられた目地プレート取付手段とで構成される。【選択図】  図１
2018204300.tif 000002
【特許請求の範囲】
【請求項１】
左右の躯体の目地部を塞ぐ目地装置に用いられる目地装置用中央維持部材において、該目地装置用中央維持部材は、前記躯体にそれぞれ取り付けられる一対のラックと、該一対のラックとそれぞれ噛合するように前記左右の躯体方向に、所定間隔を有して設けられた複数個の大歯車と、これらの大歯車の間にそれぞれ噛合するように設けられた複数個の小歯車と、前記一対のラックと前記大歯車とが常に噛合状態となるように支持するとともに、その中央部が常時目地部の中間に位置する支持部材と、該支持部材の中央部に設けられた目地プレート取付手段とで構成される目地装置用中央維持部材。
【請求項２】
前記大歯車は、少なくとも前記支持部材の中央部及び両端部付近に配置されていることを特徴とする請求項１に記載の目地装置用中央維持部材。
【請求項３】
前記一対のラックは、その取付基端部が躯体にそれぞれ回動可能に取り付けられることを特徴とする請求項１又は請求項２のいずれかに記載の目地装置用中央維持部材。
【発明の詳細な説明】
【技術分野】
【０００１】
本発明は目地部を介して設けられた躯体の間の目地部を塞ぐ目地装置に用いられ、目地プレートや目地プレート取付部材等を、常に目地部の中央に位置させる目地装置用中央維持部材に関する。
【背景技術】
【０００２】
従来、天井間や壁面間の目地部を塞ぐ目地装置の目地プレートを常に目地部の中央部に位置させる中央維持機構としては、「後端部が前記目地部側の左右の床躯体に枢支ピンで先端部が水平方向に回動できるように取付けられた一対のラックと、この一対のラックと前記目地部２の中央部で噛み合うピニオンと、このピニオンを回転可能に支持するとともに、前記支持アームを枢支する枢支ピンが取付けられ、かつ前記ラックを該ピニオンとの噛み合いを保つように支持する支持部材とで構成されている中央維持機構」が知られている（例えば特許文献１）。
【０００３】
しかし、このような中央維持機構では、目地部の幅に対して地震による想定揺れ動き幅が大きい場合には、ラックとピニオンの噛合状態が解除されてしまうおそれがあった。
具体的には、目地部の幅が１４４０ｍｍで左右の躯体の揺れ動き幅が５００ｍｍである場合、ラックの長さは目地部の幅から躯体の揺れ動き幅の差である９４０ｍｍが最長となる。ラックの長さをこれ以上長くした場合、その突出端部に躯体が衝突してしまうからである。
【０００４】
付言すると、躯体の揺れ動き幅が５００ｍｍであるため、地震時には目地部の幅は最大で１９４０ｍｍとなるのに対し、ラックの長さが９４０ｍｍであるため、一対のラックの長さを単純に足したとしても１８８０ｍｍにしかならず、地震によって目地部が広くなった場合には、一対のラックとピニオンの噛合状態が解除されてしまい、その機能を発揮できなくなる。
【０００５】
また、多数の枢支部を有するパンタグラフを中央維持機構として用いた場合には、躯体の揺れ動きには追従できるものの、各枢支部間の遊びによって、パンタグラフの中央部が目地部の中央部からずれてしまう。
【先行技術文献】
【特許文献】
【０００６】
【特許文献１】特開２０１１−２２６１５０号公報
【発明の概要】
【発明が解決しようとする課題】
【０００７】
本発明は以上のような従来の欠点に鑑み、地震によって目地部が大幅に広くなった場合であっても、ラックとピニオン（歯車）の噛合状態が解除されることなく、かつ、目地プレート等を常に目地部の中央に位置させることができる目地装置用中央維持部材を提供することを目的としている。
【０００８】
本発明の前記ならびにそのほかの目的と新規な特徴は次の説明を添付図面と照らし合わせて読むと、より完全に明らかになるであろう。
ただし、図面はもっぱら解説のためのものであって、本発明の技術的範囲を限定するものではない。
【課題を解決するための手段】
【０００９】
上記目的を達成するために、本発明の目地装置用中央維持部材は、左右の躯体の目地部を塞ぐ目地装置に用いられる目地装置用中央維持部材において、該目地装置用中央維持部材は、前記躯体にそれぞれ取り付けられる一対のラックと、該一対のラックとそれぞれ噛合するように前記左右の躯体方向に、所定間隔を有して設けられた複数個の大歯車と、これらの大歯車の間にそれぞれ噛合するように設けられた複数個の小歯車と、前記一対のラックと前記大歯車とが常に噛合状態となるように支持するとともに、その中央部が常時目地部の中間に位置する支持部材と、該支持部材の中央部に設けられた目地プレート取付手段とで構成される。
【発明の効果】
【００１０】
以上の説明から明らかなように、本発明にあっては次に列挙する効果が得られる。
（１）請求項１に記載の発明においては、左右の躯体方向に所定間隔を有して複数個設けられた大歯車を備えているので、目地部が広くなった場合であっても、いずれかの大歯車とラックが噛合状態となっているため、ラックの噛合状態が解除されて脱落すること等を確実に防止することができる。
（２）また、複数個の大歯車の間には、大歯車とそれぞれ噛み合う小歯車設けられているので、例えば中央部の大歯車とラックの噛合状態が解除されても、この大歯車は小歯車と噛合状態となっているため、ラックと噛合状態となっている他の大歯車と連動して回転させることができる。
したがって、地震による揺れ動きがおさまり、ラックが通常時の位置に戻る際に、ラックと中央部の大歯車をスムーズに噛合状態に復帰させることができる。
（３）請求項２に記載の発明においても、前記（１）〜（２）と同様な効果が得られるとともに、大歯車を効率的に配置することができる。
（４）請求項３に記載の発明においても、前記（１）〜（３）と同様な効果が得られるとともに、地震によって左右の躯体が異なる前後方向に揺れ動いた場合であっても、その揺れ動きを吸収することができる。
【図面の簡単な説明】
【００１１】
図１乃至図９は本発明の第１の実施形態を示す説明図である。
図１０乃至図１３は本発明の第２の実施形態を示す説明図である。
【図１】第１の実施形態の目地装置用中央維持部材の平面図。
【図２】目地装置用中央維持装置の一部破断説平面図。
【図３】目地装置用中央維持装置の動作説明図。
【図４】使用状態の平面図。
【図５】図４の５−５線断面図。
【図６】地震で目地部が狭くなった状態の平面視からの動作説明図。
【図７】図６の７−７線断面図。
【図８】地震で目地部が広くなった状態の平面視からの動作説明図。
【図９】図８の９−９線断面図。
【図１０】第２の実施形態の目地装置用中央維持部材の平面図。
【図１１】目地装置用中央維持装置の一部破断説平面図。
【図１２】使用状態の平面図。
【図１３】図１１の１２−１２線断面図。
【発明を実施するための形態】
【００１２】
以下、図面に示す本発明を実施するための形態により、本発明を詳細に説明する。
図１乃至図９に示す本発明を実施するための第１の形態において、１は目地部２を介して設けられた一方の躯体３及び他方の躯体４間に設置される目地装置５に用いられる床用目地プレート６や目地プレート取付部材等を、常に目地部２の中央に位置させる目地装置用中央維持部材である。
【００１３】
なお、左右方向とは図４における左右方向であり、前後方向とは図４における上下方向をいい、上下方向とは図５における上下方向をいう。
【００１４】
また、本発明において躯体とは、建物、道路、スラブ、エレベーターシャフト等の目地プレートを設置可能な建造物をいい、出入口とはドアや扉の設けられた出入口だけではなく、人や車両等が通行できる通路も含むものである。
【００１５】
この目地装置用中央維持部材１は、前記左右の躯体３、４にそれぞれ取り付けられ、その一側面に歯部７が形成された一対のラック８と、該一対のラック８の歯部７とそれぞれ噛み合い、左右の躯体方向に所定間隔を有して複数個、本実施形態では５つ設けられた大歯車９と、該大歯車９と噛み合うとともに、複数個の大歯車９の間にそれぞれ設けられた複数個の小歯車１０と、前記一対のラック８と前記大歯車９とが常に噛み合い状態となるように支持するとともに、その中央部が常時目地部２の略中間に位置する支持部材１１とで構成されている。
【００１６】
一対のラック８は、その取付基端部８ａが左右の躯体３、４のいずれか一方にそれぞれ取付具１２を介して取り付けられる。また、この一対のラック８の前後方向の一側面には、大歯車９と噛みあう歯部７をそれぞれ有し、これらの歯部７は対となるラック８と対向する面にそれぞれ形成されている。したがって、例えば図２で示すように複数個の大歯車９は、一対のラック７に挟まれる形で大歯車９が噛み合い状態となる。
さらに、この一対のラック７は、図１で示す支持部材１１の中心部を基点として、水平状態で回転対称に設けられている。
【００１７】
大歯車９は、その中心部には中心軸１３が設けられており、この中心軸１３が後述する支持部材１１に回転自在に取り付けられる。
【００１８】
また、大歯車９の外周には、前記ラック８の歯部７と噛み合う歯１４が形成されている。この複数個の大歯車９の歯１４は、それぞれ同じ歯数となるように形成されている。
本実施形態では大歯車は５つ設けられており、前記支持部材１１の内部には、端から大歯車９、小歯車１０、大歯車９、小歯車１０、大歯車９（中央の大歯車９ａ）、小歯車１０、大歯車９、小歯車１０、大歯車９の順番で配置されている。すなわち、大歯車９と小歯車１０が交互に配置されており、小歯車１０はラック８の歯部７とは噛み合わない反面、両側の大歯車９と噛み合う状態となっている。
【００１９】
この小歯車１０の中心部にも中心軸１３が設けられており、この中心軸１３が後述する支持部材１１に回転自在に取り付けられる。
【００２０】
この大歯車９の歯１４と隣り合う小歯車１０の歯１５は常時噛合状態となっている。また、複数個の小歯車１０の歯１５も、それぞれ同じ歯数となるように形成されている。
小歯車１０の歯１５は、大歯車９の歯１４のみと噛合状態となっている反面、ラックの歯部７とは全く噛合状態とならないような大きさに形成されている。このようにすることで、複数個の大歯車がそれぞれ回転できるとともに、中央の大歯車９ａとラック８の噛合状態が解除されても、中央の大歯車９ａは小歯車１０により他の大歯車９の動きが伝達され、ラック８と噛合状態となっている時と同様に回転する。このようにラック８と噛み合っていない大歯車９も回動させることができるので、ラック８と噛合状態に復帰する際に、初期状態から歯１４の位置がずれてしまい、ラック８の歯部７と衝突してしまうこと等を防止でき、スムーズに噛合状態に復帰させることができる。
【００２１】
ところで、大歯車９と小歯車１０の減速比（増速比）は任意に設定することができる。複数個の大歯車９の歯数は同じであり、複数個の小歯車１０の歯数が同じであるので、大歯車９と小歯車１０の減速比（増速比）を増減させても、中央部の大歯車９が１回転した場合には、この回転が隣り合う小歯車１０により増速比にしたがって増速して伝達され、さらにその隣り合う大歯車９に減速比にしたがって減速して伝達されることを繰り返し、中央部の大歯車９の回転と両端の大歯車の回転は同じになるためである。
【００２２】
支持部材１１は、例えば図２に示すように、両側面が開口した箱状に形成されており、この両側面の開口部１６から一対のラック８が貫通状態で挿入される。また、この支持部材１１の内部には、前記大歯車９と小歯車１０の中心軸１３が係合されているとともに、大歯車９と小歯車１０が回転自在に取り付けられる。
【００２３】
この支持部材１１に大歯車９と小歯車１０を設け、その大歯車９に噛み合い、かつ、中央の大歯車９ａの中心部分が目地部２の中心部に位置するように一対のラック７を設けることにより、目地部２が広狭しても、中央の大歯車９ａの中心軸１３ａが常時目地部２の中央部に位置するように構成している。
【００２４】
ところで、中央の大歯車９ａの中心軸１３ａの同軸上には、床用目地プレート６や目地プレート取付部材等が取り付けられる取付手段１７が設けられている。本実施形態では、取付手段１７として軸状の取付ピン１７が設けられており、この取付ピン１７の突出端部が目地プレート６や目地プレート取付具等に固定される。
【００２５】
次に、目地プレート用中央維持装置１を目地装置５に使用した場合について、図４乃至図９に基づいて説明する。本実施の形態においては、床用目地装置５に用いられた場合について説明する。
【００２６】
本発明の目地装置用中央維持部材１を用いた床用目地装置５は、左右の躯体３、４にその両端がそれぞれ固定された複数個、本実施の形態においては、４つの目地装置用中央維持部材１と、該目地装置用中央維持部材１の中央部に設けられた取付手段１７（取付ピン１７）に取り付けられた目地プレート６と、左右の躯体３、４の床面にそれぞれ上下方向に移動可能に設けられ、その上面が前記目地プレート６の上面と略フラットとなるように設けられた一対のカバープレート１８とで構成されている。
【００２７】
前記目地プレート６は、方形状の金属板で、左右方向の中央部に前記取付ピン１７が取り付けられており、左右方向の中央部が常時目地部２の中央に位置する。
また、目地プレート６の左右方向の端部には、前記カバープレート１８を上方へ押し上げる押し上げ傾斜面１９が形成されている。
【００２８】
前記カバープレート１８は、方形状の金属板で、左右の躯体３、４の床面に形成された凹所状のプレート支持部２０に上下方向に移動可能に設けられている。プレート支持部２０は、カバープレート１８の板厚と略同じ深さに形成されており、これにより、目地プレート６の上面、カバープレート１８の上面及び左右の躯体３、４の床面が略フラットとなる。
【００２９】
プレート支持部２０にはピン挿入孔２１が形成されており、カバープレート１８の躯体側の端部付近に設けられたピン２２が前記ピン挿入孔２１に挿入されている。
なお、このピン２２の長さ寸法は、カバープレート１８の板厚よりも長くなるように形成されている。
【００３０】
カバープレート１８の目地部側の端部には、前記押し上げ傾斜面１９と対応する乗り上げ傾斜面２３が形成されている。
【００３１】
地震で左右の躯体３、４が左右方向に揺れ動き目地部２が狭くなると、図６及び図７に示すように、左右一対のカバープレート１８の乗り上げ傾斜面２３は、前記目地プレート６の押し上げ傾斜面１９によって上方に押し上げられ、地震による揺れ動きを吸収する。
地震で躯体３、４が左右方向に揺れ動き目地部２が広くなると、図８及び図９に示すように、目地プレート６とカバープレート１８が離間して揺れ動きを吸収し、地震による揺れ動きが収まると、元の状態に自動的に戻る。
【００３２】
目地装置用中央維持部材１は、一対のラック８が離間する方向に移動するとともに、大歯車９及び小歯車１０が回転して揺れ動きを吸収する。この時、一対のラック８の先端部は、中央部の大歯車９ａとの噛合状態が解除されるが、少なくとも支持部材１１の両側部付近に設けられた大歯車９と噛合状態となるため、ラック８が脱落することはない。
【００３３】
また、中央部の大歯車９ａは、小歯車１０によって他の大歯車９と連動して回転するため、目地部２の広さが通常状態に戻った際には、一対のラック８とスムーズに噛合状態に復帰することができる。
【００３４】
ところで、目地プレート６とカバープレート１８は離間するが、この隙間にはプレート支持部２７が位置するので、目地プレート６やカバープレート１８の板厚分の段差が短時間生じるだけであり、目地部２が開口することはない。
なお、本実施の形態においては、ラック７はその取付端部が左右の躯体３、４にそれぞれ固定的に取り付けられているが、ラック７の取付端部を前後方向に回動可能に左右の躯体３、４に取付けてもよい。
【００３５】
[発明を実施するための異なる形態]
次に、図１０乃至図１３に示す本発明を実施するための異なる形態につき説明する。なお、これらの本発明を実施するための異なる形態の説明に当って、前記本発明を実施するための第１の形態と同一構成部分には同一符号を付して重複する説明を省略する。
図１０乃至図１３に示す本発明を実施するための第２の形態において、前記本発明を実施するための第１の形態と主に異なる点は、左右一対のラック８の取付基端部８ａを左右の躯体３、４のいずれか一方に取付具１２Ａを介して回動可能に取り付けるとともに、３つの大歯車９と２つの小歯車１０を用いた目地装置用中央維持部材１Ａにした点で、このような目地装置用中央維持部材１Ａにしても、前記本発明を実施するための第１の形態と同様の作用効果を得ることができる。
【００３６】
本実施形態では、３つの大歯車９と２つの小歯車１０を用いており、大歯車９、小歯車１０、中央部の大歯車９ａ、小歯車１０、大歯車９の順番で交互に配置されている。
本実施の形態においては、目地装置用中央維持部材１Ａを浅皿状の目地プレート６Ａを用いた目地装置５Ａ（床用目地装置）に用いている。
【００３７】
前記目地プレート６Ａは、浅皿状の目地プレート本体２４と、該目地プレート本体２４に充填されたモルタルあるいはコンクリート等の充填部材２５と、この充填部材２５の上面に貼り付けられた大理石等のタイルやレンガ等の床化粧板２６と、目地プレート本体２４の左右端部にヒンジ部材２７を介して設けられたカバー板２８とで構成される。
【００３８】
この目地プレート６Ａは、その左右方向の中央部に目地装置用中央維持部材１Ａの取付ピン１７Ａが固定されている。なお、本実施の形態においては、この取付ピン１７Ａは、中央部の大歯車９ａの中心軸１３ａを兼ね、かつ、上下方向に移動可能に設けられている。
【００３９】
また、左右の躯体には、この目地プレート６Ａが設置される目地プレート支持部２９が形成される。この目地プレート支持部２９端部には、傾斜面３０が形成されており、地震によって目地部２が狭くなった場合には、この傾斜面３０によって、目地プレート６Ａが上方へせり上がる。
【００４０】
本発明の実施形態においては、床用目地装置に用いるものについて説明したが、壁面用目地装置や天井用目地装置の中央維持部材として用いてもよく、特許文献１のような床用目地装置やその他の公知な構成の床用目地装置に用いてもよい。
【００４１】
また、本発明の実施形態においては、取付手段としてピニオンの中心軸の同軸上設けられた取付ピンに目地プレートを直接取り付けたものについて説明したが、特許文献１のように、目地プレートを取付ける取付部材（支持アーム）を取付ピンに取付けて、取付手段としてもよい。
【００４２】
さらに、本発明の実施形態では、支持部材の中央部及び両端部には大歯車が位置するように配置したものについて説明したが、本発明はこれに限られず、例えば支持部材の中央部に小歯車を配置してもよい。
【産業上の利用可能性】
【００４３】
本発明は目地プレート用中央維持装置を製造する産業で利用される。
【符号の説明】
【００４４】
１、１Ａ：目地プレート用中央維持装置、
２：目地部、                        ３：一方の躯体、
４：他方の躯体、                    ５、５Ａ：目地装置、
６、６Ａ：目地プレート、            ７：歯部、
８、８Ａ：ラック、                  ９：大歯車、
１０：小歯車、                      １１：支持部材、
１２、１２Ａ：取付具、              １３：中心軸、
１４：歯、                          １５：歯、
１６：開口部、                      １７、１７Ａ：取付手段、
１８：カバープレート、              １９：押し上げ傾斜面、
２０：プレート支持部、              ２１：ピン挿入孔、
２２：ピン、                        ２３：乗り上げ傾斜面、
２４：目地プレート本体、            ２５：充填部材、
２６：床化粧板、                    ２７：ヒンジ部材、
２８：カバー板、                    ２９：目地プレート支持部、
３０：傾斜面。 
【図１】
2018204300.tif 000003
【図２】
2018204300.tif 000004
【図３】
2018204300.tif 000005
【図４】
2018204300.tif 000006
【図５】
2018204300.tif 000007
【図６】
2018204300.tif 000008
【図７】
2018204300.tif 000009
【図８】
2018204300.tif 000010
【図９】
2018204300.tif 000011
【図１０】
2018204300.tif 000012
【図１１】
2018204300.tif 000013
【図１２】
2018204300.tif 000014
【図１３】
2018204300.tif 000015